(57)【要約】【課題】レート変換後の映像信号をもとの映像信号に逆変換しても連続するタイムコード情報の生成。【解決手段】タイムコード情報取り出し器４が、第１フレームレートに順ずる映像信号からタイムコード情報ＴＣ６０を取り出す。有効フレーム情報取り出し器３が映像信号から有効フレーム情報Ｆｖを取り出す。タイムコード変換器５がタイムコード情報ＴＣ６０の値を起点として有効フレーム情報Ｆｖを取り出す毎に加算処理を実施することで第２フレームレートに順ずるタイムコードを生成する。【選択図】  図１
2004215143.tif 000002
【特許請求の範囲】
【請求項１】
第１フレームレートに沿って配置されたフレームデータ領域に前記第１フレームレートよりフレームレート周波数の低い第２フレームレートのフレームデータが重複した形態で順次配置されてなる映像データと、前記フレームデータ領域内で前記第２フレームレートのフレームデータとして有効となるフレームデータを特定する有効フレーム情報と、前記第１フレームレートに即するタイムコード情報とを有する映像信号から、前記第１フレームレートに即するタイムコード情報を取り出して前記第２フレームレートに準ずるタイムコード情報に変換するタイムコード情報変換装置であって、
前記映像信号から前記第１フレームレートに即するタイムコード情報を取り出すタイムコード情報取り出し器と、
前記映像信号から前記有効フレーム情報を取り出す有効フレーム情報取り出し器と、
前記タイムコード情報取り出し器が取り出した前記第１フレームレートに即するタイムコード情報の値を起点として、前記有効フレーム情報取り出し器が有効フレーム情報を取り出す毎に実施する加算処理により前記第２フレームレートに順ずるタイムコードを生成するタイムコード変換器と、
を有することを特徴とするタイムコード情報変換装置。
【請求項２】
第１フレームレートに沿って配置されたフレームデータ領域に前記第１フレームレートよりフレームレート周波数の低い第２フレームレートのフレームデータが重複した形態で順次配置されてなる映像データと、前記フレームデータ領域内で前記第２フレームレートのフレームデータとして有効となるフレームデータを特定する有効フレーム情報と、前記第１フレームレートに即するタイムコード情報とを有する映像信号から、前記第１フレームレートに即するタイムコード情報を取り出して、前記第２フレームレートに準ずるタイムコード情報に変換するタイムコード情報変換方法であって、
前記映像信号から前記第１フレームレートに即するタイムコード情報を取り出す工程と、
前記映像信号から前記有効フレーム情報を取り出す工程と、
前記タイムコード情報取り出し器が取り出した前記第１フレームレートに即するタイムコード情報の値を起点として、前記有効フレーム情報取り出し器が有効フレーム情報を取り出す毎に実施する加算処理により前記第２フレームレートに順ずるタイムコードを生成する工程と、
を含むことを特徴とするタイムコード情報変換方法。
【発明の詳細な説明】
【０００１】
【発明の属する技術分野】
本発明は、映像信号に添付されるタイムコード情報の変換装置および変換方法に関する。
【０００２】
【従来の技術】
従来から、放送用映像信号等として、次のような映像信号が用いられている。この映像信号は、第１フレームレート（例えば、６０フレーム／秒）に沿って配列されたフレームデータ領域に、第１フレームレートよりフレームレート周波数の低い第２フレームレート（例えば、２４フレーム／秒）のフレームデータが重複した形態で順次配置されるという形態を有している。以下、このような映像信号をレート変換後の映像信号と呼ぶ。
【０００３】
レート変換後の映像信号は、まず、第２フレームレートに沿って映像信号を作製したうえで、作製した映像信号を、第１フレームレートに沿って重複配置するという作業を経て作製される。
【０００４】
このようなフレームレート変換で実施されるフレームデータの重複配置処理は、第１フレームレートを６０フレーム／秒とし、第２フレームレートを２４フレーム／秒とした場合を例にすると、例えば、次にように実施される。
【０００５】
レート変換前の映像信号（第２フレームレートの映像信号）の１フレーム分のフレームデータをレート変換後の映像信号（第１フレームレートの映像信号）の２フレーム分のフレームデータとして重複配置する処理と、３フレーム分のフレームデータとして重複配置する処理とを一組とする一連の処理が順次行われることで、上記重複配置処理は実施される（例えば、特許文献１参照）。
【０００６】
【特許文献１】
特開平１１−８８８４５号
【０００７】
【発明が解決しようとする課題】
レート変換後の映像信号では、タイムコード情報が不連続なものとなる結果、編集作業が困難となるという課題がある。以下、説明される。
【０００８】
レート変換後の映像信号を構成する映像信号そのものは、上述したように、第２フレームレートに沿って撮影された映像信号である。そのため、レート変換後の映像信号を編集する場合には、レート変換後の映像信号のままで編集作業を行うことはできない。レート変換後の映像信号をレート変換前の映像信号（第２フレームレートに沿った映像信号）に逆変換したうえで、逆変換後の映像信号の状態で編集する必要がある。
【０００９】
しかしながら、レート変換後の映像信号は、基本的には、第１フレームレートを有する映像信号であるため、レート変換後の映像信号には第１フレームレートに沿って配列されたタイムコード情報が添付されている。通常、映像信号のフォーマット変換では、タイムコード情報とともに変換処理が実施される。そのため、レート変換後の映像信号を逆変換すると、タイムコード情報は不連続なものとなり、このような不連続なタイムコード情報を有する逆変換後の映像信号に対する編集作業が困難なものとなっていた。
【００１０】
したがって、本発明の主たる目的は、上述したレート変換後の映像信号をもとの映像信号に逆変換してもタイムコードが連続したものとすることができるタイムコード情報の変換装置と変換方法とを提供することである。
【００１１】
【課題を解決するための手段】
上述した目的を達成するためには、本発明は、第１フレームレートに沿って配置されたフレームデータ領域に、前記第１フレームレートよりフレームレート周波数の低い第２フレームレートのフレームデータが重複した形態で順次配置されてなる映像データと、前記フレームデータ領域内で前記第２フレームレートのフレームデータとして有効となるフレームデータを特定する有効フレーム情報と、前記第１フレームレートに即するタイムコード情報とを有する映像信号から、前記第１フレームレートに即するタイムコード情報を取り出して、前記第２フレームレートに準ずるタイムコード情報に変換するタイムコード情報変換装置において、
前記映像信号から前記第１フレームレートに即するタイムコード情報を取り出すタイムコード情報取り出し器と、
前記映像信号から前記有効フレーム情報を取り出す有効フレーム情報取り出し器と、
前記タイムコード情報取り出し器が取り出した前記第１フレームレートに即するタイムコード情報の値を起点として前記有効フレーム情報取り出し器が有効フレーム情報を取り出す毎に実施する加算処理により前記第２フレームレートに順ずるタイムコードを生成するタイムコード変換器と、
を有することに特徴を有している。
【００１２】
また、本発明は、第１フレームレートに沿って配置されたフレームデータ領域に、前記第１フレームレートよりフレームレート周波数の低い第２フレームレートのフレームデータが重複した形態で順次配置されてなる映像データと、前記フレームデータ領域内で前記第２フレームレートのフレームデータとして有効となるフレームデータを特定する有効フレーム情報と、前記第１フレームレートに即するタイムコード情報とを有する映像信号から、前記第１フレームレートに即するタイムコード情報を取り出して、前記第２フレームレートに準ずるタイムコード情報に変換するタイムコード情報変換方法において、
前記映像信号から前記第１フレームレートに即するタイムコード情報を取り出す工程と、
前記映像信号から前記有効フレーム情報を取り出す工程と、
前記タイムコード情報取り出し器が取り出した前記第１フレームレートに即するタイムコード情報の値を起点として、前記有効フレーム情報取り出し器が有効フレーム情報を取り出す毎に実施する加算処理により前記第２フレームレートに順ずるタイムコードを生成する工程と、
を含むことに特徴を有している。
【００１３】
このような構成を有することで、本発明は、レート変換後の映像信号に含まれる第２フレームレートのフレームデータに準じたタイムコード情報を作成することが可能となる。
【００１４】
【発明の実施の形態】
以下に説明する本発明の一実施の形態では、次のような場合を想定して本発明を実施している。２４フレーム／秒のプログレッシプ映像信号（以下、２４ｐ映像信号という）に対して、フレームレート（フレームレート周波数）を上げるレート変換が実施されることで、６０フレーム／秒のプログレッシブ映像信号（以下、６０ｐ映像信号という）が生成される場合を想定する。
【００１５】
この場合、レート変換後の映像信号（６０ｐ映像信号）を構成するフレームデータとして、元の映像信号（２４ｐ映像信号）を構成するフレームデータが重複して配置される。具体的には、元の映像信号（２４ｐ映像信号）の１フレーム分のフレームデータがレート変換後の映像信号（６０ｐ映像信号）の２フレーム分のフレームデータとして重複配置されるデータ領域と、３フレーム分のフレームデータとして重複配置されるデータ領域とを一組とするデータ領域組が繰り返し配列されており、このようなデータ配列を行うことで上記レート変換が実施される。
【００１６】
このようなレート変換を実施する場合において、本発明を好適に実施することができる。なお、この場合、レート変換後の映像信号（６０ｐ映像信号）のフレームレート（６０フレーム／秒）が第１フレームレートに相当し、元の映像信号（２４ｐ映像信号）のフレームレート（２４フレーム／秒）が第２フレームレートに相当する。
【００１７】
図１は、本発明の一実施形態のタイムコード情報変換装置の構成を示すブロック図である。
【００１８】
このタイムコード情報変換装置１は、再生器２と、有効フレーム情報取り出し器３と、ＴＣ取り出し器４と、ＴＣ変換器５と、ＴＣ添付器６とを備えている。
【００１９】
再生器２は、レート変換後の映像信号（６０ｐ映像信号）が記録されたビデオテープ等の記録媒体Ａから映像信号を再生する。有効フレーム情報取り出し器３は、再生器２で再生された映像信号から有効フレーム情報Ｆｖを取り出す。ＴＣ取り出し器４は、再生器２で再生された映像信号からその映像信号に添付されたタイムコード情報（６０ｐ映像信号のタイムコード情報）ＴＣ６０を取り出す。再生器２とＴＣ変換器５との動作は、レート変換後のフレームレートの同期信号に同期して実施される。レート変換後の同期信号は外部からタイムコード情報変換装置１に入力されてもいいし、図示しない同期信号生成器をタイムコード情報変換装置１に設けて、ここで生成されてもよい。
【００２０】
なお、本実施形態では、ＴＣ取り出し器４からタイムコード情報取り出し器が構成され、有効フレーム情報取り出し器３から有効フレーム情報取り出し器が構成され、ＴＣ変換器５からタイムコード変換器が構成される。
【００２１】
以下、このタイムコード情報変換装置１の操作が、図２のタイミングチャートが参照されて説明される。図２において、（ａ）は、レート変換後の映像信号（６０ｐ映像信号）の同期信号（６０Ｈｚ）を示す。（ｂ）は、レート変換後の映像信号の信号形態を示す。（ｃ）は、有効フレーム情報Ｆｖを示す。（ｄ）は、レート変換後の映像信号に添付されているタイムコード情報ＴＣ６０を示す。（ｅ）は、タイムコード変換したのちのタイムコード情報ＴＣ２４を示す。
【００２２】
再生器２が、図２（ａ）に示す６０Ｈｚ同期信号に同期した状態で記録媒体Ａを再生して、図２（ｂ）に示すレート変換後の映像信号（６０ｐ映像信号）を出力する。すると有効フレーム情報取り出し器３は、再生映像信号から図２（ｃ）に示す有効フレーム情報Ｆｖを取り出し、ＴＣ取り出し器４は、再生映像信号から図２（ｄ）に示すタイムコード情報ＴＣ６０を取り出す。
【００２３】
タイムコード情報ＴＣ６０は、６０ｐ映像信号の２フレーム分を一単位として順次更新されるコード情報である。具体的にはタイムコード情報ＴＣ６０は、コード（００）〜（２９）が、（６０／２）Ｈｚ＝３０Ｈｚ周期で繰り返し更新される情報である。
【００２４】
有効フレーム情報Ｆｖは次のような情報である。有効フレーム情報Ｆｖは、再生される映像信号（６０ｐ映像信号）中に重複配置されるレート変換前の映像信号（２４ｐ映像信号）のフレームデータのうちで、レート変換前の映像信号（２４ｐ映像信号）を構成するフレームデータとして有効と規定するものを特定する情報である。具体的には、有効フレーム情報Ｆｖは、有効と特定するフレーム位置が”１”となり、無効と特定するフレーム位置が”０”となる信号である。
【００２５】
タイムコード情報ＴＣ６０と有効フレーム情報Ｆｖとは６０Ｈｚ同期信号に同期して再生器２で再生される。そのため、両情報どうしは互いに同期した信号形態となる。
【００２６】
ＴＣ変換器５は、入力されるタイムコード情報ＴＣ６０と、有効フレーム情報Ｆｖとに基づいて次のような処理を実施する。ここでは、再生器２は、タイムコード情報ＴＣ６０（０５）の位置から映像信号を再生して出力している場合を想定して、ＴＣ変換器５による処理が説明される。
【００２７】
再生器２が映像信号を再生して出力すると、有効フレーム情報取り出し器３は、映像信号（６０ｐ映像信号）の出力先頭位置で最初に読み込んだタイムコード情報ＴＣ６０（以下、先頭タイムコード情報ＴＣ６０（ｈ）という）をＴＣ変換器５に出力する。
【００２８】
ＴＣ変換器５は、先頭タイムコード情報ＴＣ６０（ｈ）の時間位置から次の正時までの時間間隔において、有効フレーム情報Ｆｖが有効を示す回数を計算する。なお、正時とは、タイムコード情報が（００）となる各秒００フレーム位置のことをいう。
【００２９】
タイムコード情報ＴＣ６０（０５）を  先頭タイムコード情報ＴＣ６０（ｈ）として読み込んだ場合、次の正時までの時間間隔において有効フレーム情報Ｆｖが有効”１”を示す回数（以下、残余回数という）は、図２（ｃ）に示すように１９回となる。これは計算により求めることができる。
【００３０】
ＴＣ変換器５は、さらに、２４ｐ映像信号のタイムコード情報ＴＣ２４の最終カウントデータ（２３）から上記残余回数（１９）を減算する。これにより、ＴＣ変換器５は、出力先頭位置のタイムコード情報ＴＣ６０（ｈ）を、タイムコード情報ＴＣ２４（ｈ）に変換する。タイムコード情報ＴＣ６０（０５）を先頭タイムコード情報ＴＣ６０（ｈ）として読み込んだ場合、タイムコード情報ＴＣ２４（ｈ）は０４（＝２３−１９）となる。
【００３１】
変換後の先頭タイムコード情報ＴＣ２４（ｈ）は、タイムコード情報再生器２が出力先頭位置で最初に読み込んだレート変換後の映像信号（６０ｐ映像信号）のフレームデータにおいて次のような意味を有する。すなわち、変換後の先頭タイムコード情報ＴＣ２４（ｈ）は、レート変換前の映像信号（２４ｐ映像信号）においてフレームデータに正確に対応したタイムコード情報となる。
【００３２】
ＴＣ変換器５は、先頭タイムコード情報ＴＣ２４（ｈ）を有効フレーム情報Ｆｖに基づいて更新処理することで、タイムコード情報ＴＣ２４を生成する。この更新処理は、６０Ｈｚ同期信号に同期した状態で行われる。
【００３３】
具体的には、有効フレーム情報Ｆｖが有効”１”を出力するまで、タイムコード情報ＴＣ２４を維持する。そして、有効フレーム情報Ｆｖが有効”１”を出力する毎に、タイムコード情報ＴＣ２４を一つ加算する。先頭タイムコード情報ＴＣ２４（ｈ）が（０４）の場合を例にすると、有効フレーム情報Ｆｖが有効”１”を出力すると、タイムコード情報ＴＣ２４は、（０５）となる。
【００３４】
ＴＣ変換器５は、このようなタイムコード情報ＴＣ２４の更新処理を、タイムコード情報ＴＣ２４が（２３）となるまで継続する。タイムコード情報ＴＣ２４が（２３）となった状態でさらに有効フレーム情報Ｆｖが有効”１”を出力すると、ＴＣ変換器５は、タイムコード上の時間が正時に達したと判断して、タイムコード情報ＴＣ２４を（００）に更新する。
【００３５】
以上の処理が繰り返し実施されることで、タイムコード情報ＴＣ２４が生成される。タイムコード情報ＴＣ２４は、レート変換後の映像信号の同期信号（６０Ｈｚ同期信号）に同期するものの不連続な値を有した信号形態となる。しかしながら、タイムコード情報ＴＣ２４は、レート変換前の映像信号（２４ｐ映像信号）の各フレームデータに正確に対応したタイムコード情報となる。
【００３６】
ＴＣ変換器５で生成されたタイムコード情報ＴＣ２４は、ＴＣ添付器６によってレート変換後の映像信号（再生器２から出力される）に添付される。このタイムコード添付処理は、６０Ｈｚ同期信号に同期した状態で行われる。タイムコード情報ＴＣ２４は、タイムコード情報ＴＣ６０に取って代わって映像信号に添付されてもよいし、タイムコード情報ＴＣ６０とともに映像信号に添付されてもよい。
【００３７】
このようにして、タイムコード情報ＴＣ２４が添付されたレート変換後の映像信号（６０ｐ映像信号）を、２４ｐ映像信号に逆変換すると図３のようになる。
【００３８】
図３において、（ａ）は、レート変換後の映像信号の信号形態を示す。（ｂ）は、タイムコード変換したのちのタイムコード情報ＴＣ２４を示す。（ｃ）は、有効フレーム情報Ｆｖを示す。（ｄ）は、逆変換後の映像信号（２４ｐ映像信号）の同期信号（２４Ｈｚ）を示す。（ｅ）は、逆変換後の映像信号（２４ｐ映像信号）の信号形態を示す。（ｆ）は、逆変換後の映像信号（２４ｐ映像信号）に添付された状態でのタイムコード情報ＴＣ２４を示す。
【００３９】
逆変換処理は、有効フレーム情報Ｆｖが有効”１”を出力する毎に、映像信号（６０ｐ映像信号）から、有効”１”に対応するフレームデータを取り出すことで実施される。取り出されたフレームデータは、２４ｐ映像信号で連続したフレームデータとなる。
【００４０】
取り出された取り出されたフレームデータを、図３（ｄ）に示す逆変換後の映像信号（２４ｐ映像信号）の同期信号（２４Ｈｚ）に沿って配列すれば、図３（ｅ）に示す逆変換後の映像信号（２４ｐ映像信号）となる。
【００４１】
ここで、フレームデータの取り出しと同時に、そのフレームデータに対応したタイムコード情報ＴＣ２４（図３（ｂ）参照）が有効フレーム情報Ｆｖに基づいて取り出される。
【００４２】
タイムコード情報ＴＣ２４は、６０ｐ映像信号においては、不連続な配列となっているものの、逆レート変換後の映像信号（２４ｐ映像信号）では連続した配列をなしている。そのため、取り出されるタイムコード情報ＴＣ２４を、図３（ｄ）に示す逆変換後の映像信号（２４ｐ映像信号）の同期信号（２４Ｈｚ）に沿って配設すれば、図３（ｆ）に示すように、２４ｐ映像信号に応じた連続配列を形成することになる。
【００４３】
以上説明したタイムコード情報変換装置１では、レート変換後の映像信号（例えば、６０ｐ映像信号）からレート変換後のタイムコード情報（例えば、タイムコード情報ＴＣ６０）を取り出して、逆変換後の映像信号（例えば、２４ｐ映像信号）に対応したタイムコード情報（例えば、タイムコード情報ＴＣ２４）に変換していた。
【００４４】
この他、本発明のタイムコード情報変換装置は、撮影装置に組み込むことができる。その実施の形態を図４を参照して説明する。
【００４５】
この撮像装置１０は、レート変換前のフレームレート（例えば、２４フレーム／秒のフレームレート）に則って映像を撮影したうえで、その映像信号（２４ｐ映像信号等）を、レート変換後のフレームレート（例えば、６０フレーム／秒のフレームレート）の映像信号（６０ｐ映像信号等）に変換したうえで出力する装置である。
【００４６】
この撮像装置１０は、映像を撮影して映像信号を生成する撮像器１１と、映像信号のフレームレートを変換するフレームレート変換器１２と、レート変換後のタイムコード情報を生成するＴＣ生成器１３と、有効フレーム情報Ｆｖを生成する有効フレーム情報生成器１４と、有効フレーム情報Ｆｖをレート変換後の映像信号に添付する有効フレーム情報添付器１５と、レート変換後のタイムコード情報を、レート変換前のフレームレートに沿ったタイムコード情報に変換するＴＣ変換器１６と、レート変換後のタイムコード情報をレート変換後の映像信号に添付する第１ＴＣ添付器１７と、レート変換前のタイムコード情報をレート変換後の映像信号に添付する第２ＴＣ添付器１８と、第１同期信号発生器１９と、第２同期信号発生器２０とを備えている。
【００４７】
以下、この撮像装置１０の動作が説明される。
【００４８】
第１同期信号発生器１９は、レート変換前のフレームレートに沿った同期信号（以下、レート変換前同期信号と称する。例えば、２４Ｈｚの同期信号）を発生させる。第２同期信号発生器２０は、第１同期信号発生器１９が出力するレート変換前同期信号に基づいて、レート変換後のフレームレートに沿った同期信号（以下、レート変換後同期信号と称する。例えば、６０Ｈｚの同期信号）を発生させる。レート変換後同期信号は、レート変換前同期信号に基づいて生成されているので、両同期信号は互いに同期した信号形態となる。
【００４９】
撮像器１１は、レート変換前同期信号（同期信号（２４Ｈｚ）等）に基づいて映像を撮影する。
【００５０】
フレームレート変換器１２は、撮影した映像信号（２４ｐ映像信号等）を、レート変換後のフレームレート（例えば、６０フレーム／秒のフレームレート）の映像信号（６０ｐ映像信号等）に変換する。レート変換は、レート変換後同期信号に基づいて行われる。
【００５１】
ＴＣ生成器１３は、フレームレート変換器１２が出力するレート変換後の映像信号に同期させてタイムコード情報を生成する。このタイムコード情報は、レート変換後のフレームレート（例えば、６０フレーム／秒のフレームレート）に沿ったデータ配列となる。
【００５２】
有効フレーム情報生成器１４は、レート変換後の映像信号における有効フレームの位置を特定する有効フレーム情報Ｆｖを生成する。有効フレーム情報Ｆｖは、図２（ｃ）が参照される。
【００５３】
有効フレーム情報添付器１５は、有効フレーム情報Ｆｖを、レート変換後の映像信号に添付する。有効フレーム情報Ｆｖの添付は、レート変換後同期信号に同期して実施される。
【００５４】
第１ＴＣ添付器１７は、ＴＣ生成器１３で生成されたタイムコード情報（レート変換後のフレームレートに対応）を、レート変換後の映像信号に添付する。タイムコード情報の添付は、レート変換後同期信号に同期して実施される。
【００５５】
ＴＣ変換器１６は、ＴＣ生成器１３で生成されたタイムコード情報（レート変換後のフレームレートに対応）を、レート変換前のフレームレートに対応したタイムコード情報に変換する。ＴＣ変換器１６のタイムコード変換処理は、ＴＣ変換器５のタイムコード変換処理と同一であるのでここではその説明は省略される。
【００５６】
第２ＴＣ添付器１８は、ＴＣ変換器１６で変換されたタイムコード情報（レート変換前のフレームレートに対応）を、レート変換後の映像信号に添付する。タイムコード情報の添付は、レート変換後同期信号に同期して実施される。
【００５７】
以上の操作を実施することで、撮像装置１０は、レート変換された映像信号に、レート変換後のフレームレートに対応したタイムコード情報と、レート変換前のフレームレートに対応したタイムコード情報とを添付する。そして、両タイムコード情報が添付された映像信号を外部に出力する。なお、撮像装置１０から出力される映像信号を記録する場合、レート変換後のタイムコード情報は、既存のタイムコード情報記録領域に記録されるが、レート変換前のタイムコード情報は、既存のタイムコード情報記録領域ではなく、記録媒体の他の記録領域に記録される。
【００５８】
以上説明した実施の形態では、レート変換前のフレームレートを２４フレーム／秒とし、レート変換後のフレームレートを６０フレーム／秒としていたが、これらのフレームレートは、本発明が実施可能なフレームレートの組合せの一例に過ぎない。本発明は、基本的には、第１フレームレートに沿って配置されたフレームデータ領域に、第１フレームレートよりフレームレート周波数の低い第２フレームレートのフレームデータが重複した形態で順次配置されてなる映像データを有する映像信号であり、さらには、この映像信号は、編集時等において、第２フレームレートの映像信号に逆変換されるものである場合に好適に実施することができる。
【００５９】
【発明の効果】
以上説明したように、本発明によれば、レート変換後の映像信号をもとの映像信号に逆変換してもタイムコードが連続したものとすることが可能なタイムコード情報を作製することができる。
【図面の簡単な説明】
【図１】本発明の一実施形態のタイムコード情報変換装置の構成を示すブロック図である。
【図２】実施の形態のタイムコード情報変換装置のタイムコード変換動作を示すタイミングチャートである。
【図３】実施の形態のタイムコード情報変換装置でタイムコード情報を変換された映像信号を逆変換する場合の操作を示すタイミングチャートである。
【図４】本発明の変形例を示すブロック図である。
【符号の説明】
１  タイムコード情報変換装置        ２  再生器
３  有効フレーム情報取り出し器        ４  ＴＣ取り出し器
５  ＴＣ変換器                    ６  ＴＣ添付器
【図１】
2004215143.tif 000003
【図２】
2004215143.tif 000004
【図３】
2004215143.tif 000005
【図４】
2004215143.tif 000006